(57)【要約】【課題】心静かに故人を偲びながら、遠隔地の人であっても満足のゆくお別れがなし得る映像を利用した告別方法および告別装置を提供する。【解決手段】故人の胸像映像を表示する故人映像表示部１０を祭壇の前方に備え、そのスクリーン１２の胸像状に形成された膜状表示部１６に、故人の胸像映像を映写してその映像を浮かびあがらせたような状態にし、その映像を眺め、しかも故人のお別れのメッセージを聞きながら告別をなすものである。【選択図】図２
2008093320.tif 000002
【特許請求の範囲】
【請求項１】
祭壇の前方に故人の胸像映像を浮かびあがらせたような状態にしながら告別をなすことを特徴とする告別方法。
【請求項２】
胸像映像の背後に関連映像を流しながら告別をなすことを特徴とする請求項１記載の告別方法。
【請求項３】
故人のメッセージを流しながら告別をなすことを特徴とする請求項１記載の告別方法。
【請求項４】
ナレーションおよび／または音楽を流しながら告別をなすことを特徴とする請求項２記載の告別方法。
【請求項５】
映像を利用した告別装置であって、
前記告別装置が、故人の胸像映像を表示する故人映像表示部を祭壇の前方に備え、
前記故人映像表示部は、音声再生機能付プロジェクターとスクリーンとスピーカーとを備え、
前記スクリーンが、透明のスクリーン本体と、該スクリーン本体表面に形成された故人の胸像映像が表示される胸像状の膜状表示部とを有してなる
ことを特徴とする告別装置。
【請求項６】
膜状表示部の輪郭部の膜厚が徐々に薄くされてなることを特徴とする請求項５記載の告別装置。
【請求項７】
膜状表示部の色彩が、白色、乳白色またはライトグレーとされてなることを特徴とする請求項５記載の告別装置。
【請求項８】
映写される故人の胸像映像が、膜状表示部の輪郭部の内側となるようにされてなることを特徴とする請求項５記載の告別装置。
【請求項９】
胸像映像の背景が黒とされてなることを特徴とする請求項５記載の告別装置。
【請求項１０】
祭壇に一体化された音声出力機能を有する関連映像表示部を備えてなることを特徴とする請求項５記載の告別装置。
【請求項１１】
故人映像表示部が、祭壇前方に一体化されてなることを特徴とする請求項５記載の告別装置。
【請求項１２】
故人映像表示部が、映像経路変更手段を備えてなることを特徴とする請求項５記載の告別装置。
【発明の詳細な説明】
【技術分野】
【０００１】
本発明は告別方法および告別装置に関する。さらに詳しくは、映像を利用して故人の生前の姿を浮かびあがらせながら告別がなし得る告別方法および告別装置に関する。
【背景技術】
【０００２】
従来より、告別式においては、一般的に、祭壇に故人の遺体を供えるとともに、その奥に個人の遺影を飾ることがなされている。また、その遺影は、通常、亡くなる直前の写真を拡大したものが用いられ鮮明さに欠ける嫌いがあるとともに世俗化すぎて、故人の面影を思い浮かべるには、はなはだ特色のないものであるため、故人と満足のゆくお別れができたという気持ちになれないでいることが多い。
【０００３】
また、告別式の一形態として、大掛かりな祭壇や装置を用いて盛大に告別式を執り行うこともなされているが、旧来の遺影の延長線上において単に高価な飾り付けをなしているものがほとんどである。それ故、費用対効果に疑問が残ると同時に、故人の生前の面影を偲びながらお別れをするという趣にかける嫌いがある。
【０００４】
そのため、告別式を扱う人々から、厳粛な中にも神秘性を秘めた雰囲気の中で心静かに故人の面影を偲びながら、満足のゆくお別れがなし得る告別方法および告別装置の出現が期待されている。
【０００５】
また、告別式は、通常、急になされるので、遠隔地の人の中には都合がつかず告別式に参加できないということも生ずる。
【発明の開示】
【発明が解決しようとする課題】
【０００６】
本発明はかかる従来技術の課題に鑑みなされたものであって、遠隔地の人であっても心静かに故人を偲びながら、満足のゆくお別れがなし得る映像を利用した告別方法および告別装置を提供することを目的としている。
【課題を解決するための手段】
【０００７】
本発明の告別方法は、祭壇の前方に故人の胸像映像を浮かびあがらせたような状態にしながら告別をなすことを特徴とする。
【０００８】
本発明の告別方法においては、胸像映像の背後に関連映像を流しながら告別をなすのが好ましい。
【０００９】
また、本発明の告別方法においては、故人のメッセージを流しながら告別をなすのがさらに好ましい。
【００１０】
さらに、本発明の告別方法においては、ナレーションや音楽を流しながら告別をなすのが好ましい。
【００１１】
一方、本発明の告別装置は、映像を利用した告別装置であって、前記告別装置が、故人の胸像映像を表示する故人映像表示部を祭壇の前方に備え、前記故人映像表示部は、音声再生機能付プロジェクターとスクリーンとスピーカーとを備え、前記スクリーンが、透明のスクリーン本体と、該スクリーン本体表面に形成された故人の胸像映像が表示される胸像状の膜状表示部とを有してなることを特徴とする。
【００１２】
本発明の告別装置においては、膜状表示部の輪郭部の膜厚が徐々に薄くされてなるのが好ましい。
【００１３】
また、本発明の告別装置においては、膜状表示部の色彩が、白色、乳白色またはライトグレーとされてなるのが好ましい。
【００１４】
さらに、本発明の告別装置においては、映写される故人の胸像映像が、膜状表示部の輪郭部の内側となるようにされていたり、胸像映像の背景が黒とされていたりするのが好ましい。
【００１５】
さらに、本発明の告別装置においては、祭壇に一体化された音声出力機能を有する関連映像表示部を備えてなるのが好ましい。
【００１６】
さらに、本発明の告別装置においては、故人映像表示部が祭壇前方に一体化されてなるのが好ましい。
【００１７】
さらに、本発明の告別装置においては、故人映像表示部が、映像経路変更手段を備えてなるのが好ましい。
【発明の効果】
【００１８】
本発明は前記の如く構成されているので、スクリーンに映写された故人の胸像映像が空中に浮かんだようにされ、神秘的な雰囲気の中で心静かに故人を偲び、満足のゆくお別れがなし得るという優れた効果が得られる。また、映像を利用しているので、遠隔地においても告別がなし得るという優れた効果が得られる。
【００１９】
本発明の好ましい形態においては、故人のメッセージを流すようにしているので、臨場感を伴ってお別れがなし得るという優れた効果が得られる。
【発明を実施するための最良の形態】
【００２０】
以下、添付図面を参照しながら本発明を実施形態に基づいて説明するが、本発明はかかる実施形態のみに限定されるものではない。
【００２１】
実施形態１
本発明の実施形態１に係る告別装置の要部を図１にブロック図で示し、図２に斜視図で示す。
【００２２】
告別装置Ａは、図１および図２に示すように、祭壇（図示省略）の前方に配されて故人のメッセージを流しながら故人の胸像を表示する故人映像表示部１０と、祭壇に一体化されている関連映像表示部２０とを主要部として備えてなるものとされる。
【００２３】
故人映像表示部１０は、故人の胸像の映像をメッセージとともに映写する音声再生機能付プロジェクター（以下、単にプロジェクターという）１１と、プロジェクター１１から映写された映像を映しだすスクリーン１２と、音声を出力するスピーカー１３とを備えてなるものとされる。
【００２４】
プロジェクター１１およびスピーカー１３は、公知のものを好適に用いることができ、その構成に特に限定はない。
【００２５】
スクリーン１２は、図３に示すように、スクリーン本体１５と、スクリーン本体１５表面に胸像状に形成された膜状表示部１６とを備えてなるものとされ、支持台（図示省略）によりスクリーン本体１５の底辺部が適宜支持されている。
【００２６】
スクリーン本体１５は、例えば、ガラス、アクリル樹脂、塩化ビニール樹脂、ポリカーボネイト樹脂からなる透明板とされる。
【００２７】
膜状表示部１６は、色彩が白色、乳白色またはライトグレーとされた塗膜からなるものとされ、その輪郭部１６ａの膜厚は、図４に示すように、徐々に薄くされている。塗膜の形成は、例えば塗装によりなすことができる。また、徐々に膜厚が薄くされた輪郭部１６ａは、例えば、網点やディザによるグラデーション法により形成される。
【００２８】
この膜状表示部１６に映写される胸像映像は、輪郭部１６ａの内側に収まるようにされ、かつ、背景が黒とされる。かかる映像の作成は、例えば、背景を単一色例えば青一色にし、その手前に人物を配置してビデオカメラで撮影する。撮像された映像は、編集により人物と背景が分離される。この分離は、背景が単一色とされているので容易である。背景が分離された人物映像の背景を黒に変換する。この変換の後、人物と背景の境界部分に白色またはグレーによる輪郭線を描く。この輪郭線も周知の画像処理により容易に作成できる。この輪郭線を描くことにより、人物が明確に表示される。また、輪郭線を描くことにより、髪の毛が黒い場合でも背景との境界が明確になり、人物映像の全体像を損なうことはない。この場合、輪郭線はシャープな線でもよく、あるいはぼやかされた線でもよい。
【００２９】
膜状表示部１６がかかる構成とされ、かつ、映写される映像が前記の如くされているので、少し離れた位置から見ると胸像映像の周縁部がぼやけ、故人の胸像が空中に浮かんであたかもそこに故人が実在するかのような神秘的な印象を与えることができる。
【００３０】
関連映像表示部２０は、適当なナレーションや音楽とともに関連映像を映写する音声再生機能付プロジェクター（以下、単にプロジェクターという）２１と、プロジェクター２１から映写された映像を映しだすスクリーン２２と、音声を出力するスピーカー２３とを備えてなるものとされる。
【００３１】
プロジェクター２１、スクリーン２２およびスピーカー２３は、公知のものを好適に用いることができ、その構成に特に限定はない。
【００３２】
なお、関連映像表示部２０は、例えば、大型液晶ディスプレイや大型プラズマディスプレイとすることもできる。
【００３３】
関連映像表示部２０に表示する映像としては、例えば、故人が生前に撮影した写真やビデオ映像から適宜選定し、それらを情感豊かに編集したものとされる。この編集により、写真や映像に場所や撮影年月日を付加してエンドロール風とされたり、写真や映像がフェードイン、フェードアウトするようにされてもよい。
【００３４】
このように、この実施形態１においては、故人の胸像映像が、関連ある映像を背景に故人のメッセージおよびナレーションや音楽とともに浮かび上がらせるようにされているので、神秘的な雰囲気の中で心静かに故人を偲びながら、満足のゆくお別れがなし得る。
【００３５】
また、告別装置Ａを遠隔地に設置すれば、遠隔地の関係者も告別がなし得る。
【００３６】
実施形態２
本発明の実施形態２の告別装置Ａ１を図５および図６に示す。実施形態２は実施形態１を改変してなるものであって、光路変更ミラー１４，２４により映像経路を変更してなるものとされる。つまり、ミラー１４，２４によりプロジェクター１１，２１からの映像を反射させ、その反射映像をスクリーン１２，２２に映しだすようにしてなるものとされる。
【００３７】
なお、その余の構成および作用・効果は実施形態１と同様とされている。
【００３８】
このように、この実施形態２においては、光路変更ミラー１４，２４によりプロジェクター１１，２１からの映像を反射させ、その反射映像をスクリーン１２，２２に映しだすようにしているので、告別装置Ａ１をコンパクトにできるという実施形態１では得られない効果も得られる。
【００３９】
以上、本発明を実施形態に基づいて説明してきたが、本発明はかかる実施形態のみに限定されるものではなく、種々改変が可能である。例えば、実施形態においては、故人映像表示部１０，１０Ａは祭壇とは別個の構成とされているが、故人映像表示部１０，１０Ａは祭壇前方に一体化されてもよい。
【産業上の利用可能性】
【００４０】
本発明は、告別式に適用できる。
【図面の簡単な説明】
【００４１】
【図１】本発明の実施形態１に係る告別装置のブロック図である。
【図２】同告別装置の概略斜視図である。
【図３】同告別装置の故人映像表示部のスクリーンの正面図である。
【図４】同スクリーンの膜状表示部の輪郭部の詳細図である。
【図５】本発明の実施形態２に係る告別装置の概略斜視図である。
【図６】本発明の実施形態２に係る告別装置の概略側面図である。
【符号の説明】
【００４２】
１０    故人映像表示部
１１    プロジェクター
１２    スクリーン
１３    スピーカー
１４    光路変更ミラー
１５    スクリーン本体
１６    膜状表示部
１６ａ  輪郭部
２０    関連映像表示部
２１    プロジェクター
２２    スクリーン
２３    スピーカー
２４    光路変更ミラー
Ａ    告別装置
【図１】
2008093320.tif 000003
【図６】
2008093320.tif 000004
【図２】
2008093320.tif 000005
【図３】
2008093320.tif 000006
【図４】
2008093320.tif 000007
【図５】
2008093320.tif 000008